(57)【要約】  基地局は、ＨＳ−ＰＤＳＣＨの複数チャネルの内、所定の１チャネルに番組ガイド割り当て、残りの各チャネルを各番組に割り当て、各番組のチャネライゼーションコードのオフセット、該当する番組のＨＳ−ＰＤＳＣＨの変調方式、及び各チャネルで使用しているＨＳ−ＰＤＳＣＨの本数の情報を含めた番組情報を配信する。通信端末装置は、番組情報から番組ガイドを取得してデータ出力部に表示し、ユーザにデータ入力部を介して番組を指定させる。指定された番組と番組情報とに基づいてチャネライゼーションコードのオフセット、ＨＳ−ＰＤＳＣＨの本数、及びＨＳ−ＰＤＳＣＨの変調方式を決定する。チャネル復号部は、これらの情報を用いて、番組情報のＨＳ−ＰＤＳＣＨの情報をデコードする。
2013108662.tif 000002
【特許請求の範囲】
【請求項１】
基地局となる情報配信装置と、受信局となる通信端末装置とを含み、
前記情報配信装置は、
ＨＳ−ＰＤＳＣＨの複数チャネルの内、所定の１チャネルに番組ガイド割り当て、残りの各チャネルを各番組に割り当てる手段と、
各番組のチャネライゼーションコードのオフセット、該当する番組のＨＳ−ＰＤＳＣＨの変調方式、及び各チャネルで使用しているＨＳ−ＰＤＳＣＨの本数の情報を含めた番組情報を配信する手段と、
を備え、
前記通信端末装置は、
前記情報配信装置から配信された番組情報を受信する手段と、
前記番組情報に含まれる所定のチャネル対応の番組ガイドを取得する手段と、
前記チャネル対応の番組ガイドを表示してユーザに参照させる手段と、
前記ユーザが前記チャネル対応の番組ガイドの表示を参照して指定した番組と、前記番組情報とに基づいてチャネライゼーションコードのオフセット、ＨＳ−ＰＤＳＣＨの本数、及びＨＳ−ＰＤＳＣＨの変調方式を決定する手段と、
前記決定されたＨＳ−ＰＤＳＣＨの本数、及びＨＳ−ＰＤＳＣＨの変調方式を用いて、前記受信した番組情報のＨＳ−ＰＤＳＣＨの情報のデコードを行う手段と、
前記デコードの結果を表示する手段と、
を備えた情報通信システム。
【請求項２】
前記デコードを行う際の受信品質として、番組選択直後には所定の暫定的なＣＱＩ値を使用し、番組選択後は、所定の周期毎に求めたＣＱＩ値を集計して決定した受信品質を使用する
請求項１に記載の情報通信システム。
【請求項３】
前記デコードを行う手段は、前記ユーザが番組を選択した時点で選択された番組の各受信品質対応のチャネライゼーションコードのオフセット、ＨＳ−ＰＤＳＣＨの本数、及び変調方式を参照することにより、低品質の情報と高品質の情報とを適宜切り替えてデコードする
請求項１に記載の情報通信システム。
【請求項４】
ＨＳ−ＳＣＣＨ及びＨＳ−ＤＰＣＣＨは使用しない
請求項１に記載の情報通信システム。
【請求項５】
ＨＳ−ＰＤＳＣＨの複数チャネルの内、所定の１チャネルに番組ガイド割り当て、残りの各チャネルを各番組に割り当てる手段と、
各番組のチャネライゼーションコードのオフセット、該当する番組のＨＳ−ＰＤＳＣＨの変調方式、及び各チャネルで使用しているＨＳ−ＰＤＳＣＨの本数の情報を含めた番組情報を配信する手段と、
を備えた情報配信装置。
【請求項６】
ＨＳ−ＳＣＣＨ及びＨＳ−ＤＰＣＣＨは使用しない
請求項５に記載の情報配信装置。
【請求項７】
情報配信装置から配信されたＨＳ−ＰＤＳＣＨの複数チャネルの番組情報を受信する手段と、
前記番組情報に含まれる所定のチャネル対応の番組ガイドを取得する手段と、
前記チャネル対応の番組ガイドを表示してユーザに参照させる手段と、
前記ユーザが前記チャネル対応の番組ガイドの表示を参照して指定した番組と、前記番組情報とに基づいてチャネライゼーションコードのオフセット、ＨＳ−ＰＤＳＣＨの本数、及びＨＳ−ＰＤＳＣＨの変調方式を決定する手段と、
前記決定されたＨＳ−ＰＤＳＣＨの本数、及びＨＳ−ＰＤＳＣＨの変調方式を用いて、前記受信した番組情報のＨＳ−ＰＤＳＣＨの情報のデコードを行う手段と、
前記デコードの結果を表示する手段と、
を備えた通信端末装置。
【請求項８】
前記デコードを行う際の受信品質として、番組選択直後には所定の暫定的なＣＱＩ値を使用し、番組選択後は、所定の周期毎に求めたＣＱＩ値を集計して決定した受信品質を使用する
請求項７に記載の通信端末装置。
【請求項９】
前記デコードを行う手段は、前記ユーザが番組を選択した時点で選択された番組の各受信品質対応のチャネライゼーションコードのオフセット、ＨＳ−ＰＤＳＣＨの本数、及び変調方式を参照することにより、低品質の情報と高品質の情報とを適宜切り替えてデコードする
請求項７に記載の通信端末装置。
【請求項１０】
ＨＳ−ＳＣＣＨ及びＨＳ−ＤＰＣＣＨは使用しない
請求項７に記載の通信端末装置。
【発明の詳細な説明】
【技術分野】
【０００１】
本発明は情報通信システム及び情報配信装置並びに通信端末装置に係り、特に、同一セル内の多数のユーザに対して同時に情報を配信することができる情報通信システム及び情報配信装置並びに通信端末装置に関する。
【背景技術】
【０００２】
Ｗ−ＣＤＭＡ（Ｗｉｄｅ  ｂａｎｄ  Ｃｏｄｅ  Ｄｉｖｉｓｉｏｎ  Ｍｕｌｔｉｐｌｅ  Ａｃｃｅｓｓ）の通信装置では、ダウンリンクを高速伝送するため、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式が採用される。ＨＳＤＰＡのダウンリンクの物理チャネルには、ＨＳ−ＳＣＣＨ（Ｈｉｇｈ  Ｓｐｅｅｄ  Ｓｈａｒｄ  Ｃｏｎｔｒｏｌ  Ｃｈａｎｎｅｌ）、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｄ  Ｃｈａｎｎｅｌ）がある。【０００３】
ＨＳ−ＳＣＣＨとＨＳ−ＰＤＳＣＨとは、対で使用される物理チャネルであり、ＨＳ−ＰＤＳＣＨではＨＳＤＰＡ用のパケットデータを伝送する。また、ＨＳ−ＳＣＣＨでは、対で送信されるＨＳ−ＰＤＳＣＨのパケットデータをデコードするためのデコード情報を伝送するが、端末装置は基地局から通知されたＵＥＩＤ（ＵＥ  ｉｄｅｎｔｉｆｙ）を用いて、自分宛のＨＳ−ＳＣＣＨをデコードする。また、ダウンリンクのＨＳＤＰＡの各チャネルの本数は、ＨＳ−ＳＣＣＨチャネルについては最大で４本、ＨＳ−ＰＤＳＣＨでは最大で１５本と規定されている。一方、端末装置から基地局にデータが送信されるアップリンクの物理チャネルとして、ＨＳ−ＤＰＣＣＨ（Ｈｉｇｈ  Ｓｐｅｅｄ  Ｄｅｄｉｃａｔｅｄ  Ｃｏｎｔｒｏｌ  Ｃｈａｎｎｅｌ）が規定されている。【０００４】
図４は、公知の情報通信システムが採用しているＨＳ−ＤＰＣＣＨのサブフレームのデータ構造の１例を示すデータ構成図である。ＨＳ−ＤＰＣＣＨのサブフレームは、ＨＳ−ＰＤＳＣＨのデコード状況をＡＣＫ／ＮＡＣＫ／ＤＴＸとして通知するＨＡＲＱ−ＡＣＫ情報と、データの受信品質を示すＣＱＩ（Ｃｈａｎｎｅｌ  Ｑｕａｌｉｔｙ  Ｉｎｄｉｃａｔｏｒ）とから構成される。ＨＡＲＱ−ＡＣＫ情報は、端末装置が自己向けのＨＳ−ＳＣＣＨを検出し、ＨＳ−ＰＤＳＣＨのＣＲＣ結果がＯＫであればＡＣＫが挿入され、端末装置が自己向けのＨＳ−ＳＣＣＨが検出できて、ＨＳ−ＰＤＳＣＨのＣＲＣ結果がＮＧであればＮＡＣＫが挿入される。端末装置が自己向けのＨＳ−ＳＣＣＨを検出できなかった場合は、何も挿入しない、つまり、ＤＴＸ（Ｄｉｓｃｏｎｔｉｎｕｏｕｓ  Ｔｒａｎｓｍｉｓｓｉｏｎ）状態となる。【０００５】
ＣＱＩは、基地局から端末へ送信されるデータのＣＰＩＣＨ（Ｃｏｍｍｏｎ  Ｐｉｌｏｔ  Ｃｈａｎｎｅｌ）の受信品質が０〜３０の値に符号化された値であり、ＨＳ−ＤＰＣＣＨのサブフレーム上にマッピングされている。３ＧＰＰの規定では、ＣＱＩの値は、受信品質が悪いとＣＱＩ値が低く、受信品質が良いとＣＱＩ値が高くなるとしている。ＨＳＤＰＡ方式の動作として、基地局は、端末装置から送信されるＨＳ−ＤＰＣＣＨの情報を受信する。そして、基地局は、ＨＡＲＱ−ＡＣＫ情報に従って、前述のＡＣＫが有れば新規のパケットを送信し、前述のＮＡＣＫが有れば再送し、また、前述のＤＴＸ状態であり、かつ該当する端末装置に対してＨＳＤＰＡ通信を行っていた場合にも再送する。【０００６】
また、基地局は、ＨＳ−ＤＰＣＣＨにマッピングされたＣＱＩの値に基づいて、受信品質に適したＨＳ−ＰＤＳＣＨの情報を送信するために、ＨＳ−ＰＤＳＣＨのコード数、ＴＢＳ（Ｔｒａｎｓｐｏｒｔ  Ｂｌｏｃｋ  Ｓｉｚｅ）、変調方式を決定する。その後、ＨＳ−ＳＣＣＨの情報とＨＳ−ＰＤＳＣＨの情報とを対にして送信する。【０００７】
なお、この分野の公知技術として、例えば特許文献１には、様々な通信路品質状態においてダウンリンクにおけるスループットの低下を防ぐ技術を開示している。具体的には、下り高速伝送方式であるＨＳＤＰＡ方式が適用された移動通信システムにおいて、端末装置から送信されて基地局１０１にて受信されたＨＳ−ＤＰＣＣＨのサブフレーム内からダウンリンクの通信路品質状態を示す指標であるＣＱＩを抽出する。抽出したＣＱＩに基づいて、ＨＳ−ＰＤＳＣＨを用いて送信されるパケットデータをデコードするためのデコード情報をＨＳ−ＳＣＣＨを用いて送信するために必要な送信電力を決定するものとしている。【０００８】
また、例えば特許文献２には、多数のユーザが同一セルにおいてＨＳＤＰＡ通信を同時に行うことを可能とする移動体通信システムを開示している。具体的には、基地局が送信するＨＳ−ＰＤＳＣＨには、複数の配信情報とそれぞれ対応するＨＳ−ＰＤＳＣＨと、各配信情報のガイド情報のＨＳ−ＰＤＳＣＨとを含める。移動体通信端末装置は、ガイド情報のＨＳ−ＰＤＳＣＨのオフセット及びコード数を記憶している。この移動体通信端末装置は、記憶しているオフセット及びコード数を用いてガイド情報のＨＳ−ＰＤＳＣＨをデコードし、ガイド情報を抽出し、ガイド情報を用いて、複数の配信情報の何れかを選択操作可能な選択画面を表示画面に表示する。また、ユーザに選択された配信情報のオフセット値及びコード数を決定し、選択された配信情報のＨＳ−ＰＤＳＣＨをデコードするものとしている。【０００９】
また、例えば特許文献３には、それぞれが番組データを配信するための複数のチャンネルを有する情報配信システムにおいて、高速なザッピングを可能とする技術を開示している。より具体的には、それぞれ異なる番組データを高品質で配信する複数の個別チャンネルに加え、これらの個別チャンネルの番組データをまとめて低品質で配信する基本チャンネルを設けている。そして、各端末装置において、ユーザにより選択された個別チャンネルと基本チャンネルとによりそれぞれ配信される番組データを受信する通信処理手段と、通信処理手段で受信した個別チャンネルの番組データを再生する再生処理手段とを備える。再生処理手段は、個別チャンネルが切り替えられたとき、切り替え先の個別チャンネルにより配信される番組データが再生可能となるまでの間は、基本チャンネルで配信される低品質の番組データのうち切り替え先の個別チャンネルに対応する番組データを再生する。【００１０】
さらに、例えば特許文献４には、ダウンリンク共用サービスに対してＷＴＲＵからのフィードバックのメカニズムを提供する技術、及びアップリンクおよびダウンリンク容量に対する影響を最小に抑えることを意図した技術を開示している。具体的には、無線送信／受信ユニット（ＷＴＲＵ）は、Ｎｏｄｅ−Ｂからダウンリンク伝送を受信し、ダウンリンク伝送を復号する。復号に成功しなかった場合、ＷＴＲＵは、コンテンションベースの共用フィードバックチャネルを介して、否定応答（ＮＡＣＫ）を表す事前定義されたバーストをＮｏｄｅ−Ｂに送信する。事前定義されたバーストは、肯定応答を必要とすることなく、１回だけ送信することができる。Ｎｏｄｅ−Ｂは、ダウンリンク伝送が高い確度でＷＴＲＵに伝送されるように、ダウンリンク伝送電力を較正する。Ｎｏｄｅ−Ｂは、高い信号品質を有するＷＴＲＵがすべてのデータストリームを復号する。より具体的に説明すると、Ｎｏｄｅ−Ｂは、低い信号品質を有するＷＴＲＵが全体よりも少ないデータストリームを復号するように、異なる変調および符号化方式を使用して処理される複数のデータストリームを含むダウンリンク伝送を送信する。Ｎｏｄｅ−Ｂは、各ＷＴＲＵが、ＣＱＩしきい値および測定されたＣＱＩに基づいてフィードバックをレポートすべきデータストリームを決定するように、チャネル品質インジケータ（ＣＱＩ）しきい値を送信するものとしている。
【先行技術文献】
【特許文献】
【００１１】
【特許文献１】特開２００７−２３５８１７号公報
【特許文献２】特開２００８−２２７７０５号公報
【特許文献３】特開２００９−１３０７３２号公報
【特許文献４】特開２０１０−５０６５３７号公報
【発明の概要】
【発明が解決しようとする課題】
【００１２】
ところで、上記背景技術で述べた公知の情報通信システムにあっては、前述のＨＳＤＰＡ方式の情報通信システムの場合、１ユーザに対してＨＳ−ＳＣＣＨチャネルの情報とＨＳ−ＰＤＳＣＨチャネルの情報とを対にして送信する。そのため、同一セル内においてＨＳＤＰＡ通信を同時に行うことのできるユーザの総数に制限が有り、同一セル内における多数のユーザが番組を見ることができないという問題点が有った。また、より高品質な情報を受信できるように最適化する仕組みを有していないという問題点が有った。【００１３】
なお、前述の特許文献１に記載の技術は、受信品質と送信電力とを関係付けたものである。また、前述の特許文献２に記載の技術は、移動体通信端末装置が、ガイド情報のＨＳ−ＰＤＳＣＨのオフセット及びコード数を記憶している必要が有る。また、前述の特許文献３に記載の技術は、前述のとおり、個別チャンネルが切り替えられて切り替え先が再生可能となるまでの間の受信品質を暫定的に低品質とするものである。さらに、前述の特許文献４に記載の技術は、前述のとおり、ダウンリンク共用サービスに対してＷＴＲＵからのフィードバックのメカニズムを提供することと、アップリンクおよびダウンリンク容量に対する影響を最小に抑えることとを意図した技術である。【００１４】
本発明は、上記問題点に鑑みてなされたものであって、ＨＳＤＰＡ方式の情報通信システムにおいて、同一セル内の多数のユーザに対して同時に情報を配信することができる情報通信システム及び情報配信装置並びに通信端末装置を提供することを目的としている。
本発明の他の目的は、常に、より高品質な情報を受信できるように最適化する仕組みを備えた情報通信システム及び情報配信装置並びに通信端末装置を提供することにある。
【課題を解決するための手段】
【００１５】
上記課題を解決するために、本発明に係る情報通信システムは、基地局となる情報配信装置と、受信局となる通信端末装置とを含み、情報配信装置は、ＨＳ−ＰＤＳＣＨの複数チャネルの内、所定の１チャネルに番組ガイド割り当て、残りの各チャネルを各番組に割り当てる手段と、各番組のチャネライゼーションコードのオフセット、該当する番組のＨＳ−ＰＤＳＣＨの変調方式、及び各チャネルで使用しているＨＳ−ＰＤＳＣＨの本数の情報を含めた番組情報を配信する手段と、を備え、通信端末装置は、情報配信装置から配信された番組情報を受信する手段と、番組情報に含まれる所定のチャネル対応の番組ガイドを取得する手段と、チャネル対応の番組ガイドを表示してユーザに参照させる手段と、ユーザがチャネル対応の番組ガイドの表示を参照して指定した番組と、番組情報とに基づいてチャネライゼーションコードのオフセット、ＨＳ−ＰＤＳＣＨの本数、及びＨＳ−ＰＤＳＣＨの変調方式を決定する手段と、決定されたＨＳ−ＰＤＳＣＨの本数、及びＨＳ−ＰＤＳＣＨの変調方式を用いて、受信した番組情報のＨＳ−ＰＤＳＣＨの情報のデコードを行う手段と、デコードの結果を表示する手段と、を備えたことを特徴とする。【００１６】
また、本発明に係る情報配信装置は、ＨＳ−ＰＤＳＣＨの複数チャネルの内、所定の１チャネルに番組ガイド割り当て、残りの各チャネルを各番組に割り当てる手段と、各番組のチャネライゼーションコードのオフセット、該当する番組のＨＳ−ＰＤＳＣＨの変調方式、及び各チャネルで使用しているＨＳ−ＰＤＳＣＨの本数の情報を含めた番組情報を配信する手段と、を備えたことを特徴とする。【００１７】
さらに、本発明に係る通信端末装置は、情報配信装置から配信されたＨＳ−ＰＤＳＣＨの複数チャネルの番組情報を受信する手段と、番組情報に含まれる所定のチャネル対応の番組ガイドを取得する手段と、チャネル対応の番組ガイドを表示してユーザに参照させる手段と、ユーザがチャネル対応の番組ガイドの表示を参照して指定した番組と、番組情報とに基づいてチャネライゼーションコードのオフセット、ＨＳ−ＰＤＳＣＨの本数、及びＨＳ−ＰＤＳＣＨの変調方式を決定する手段と、決定されたＨＳ−ＰＤＳＣＨの本数、及びＨＳ−ＰＤＳＣＨの変調方式を用いて、受信した番組情報のＨＳ−ＰＤＳＣＨの情報のデコードを行う手段と、デコードの結果を表示する手段と、を備えたことを特徴とする。
【発明の効果】
【００１８】
以上説明したように、本発明の情報通信システムによれば、同一セル内の多数のユーザの各々に対して、同時に可能な限りの高品質な情報を配信することができる効果が有る。
【図面の簡単な説明】
【００１９】
【図１】本発明の実施形態に係る情報通信システムにおける情報配信装置の構成を示すものである。
【図２】基地局から通信端末装置に配信される番組ガイドの１例を示す説明図である。
【図３】基地局から通信端末装置に配信されるチャネル対応の番組ガイドの１例を示す説明図である。
【図４】公知の情報通信システムが採用しているＨＳ−ＤＰＣＣＨのサブフレームのデータ構造の１例を示すデータ構成図である。
【発明を実施するための形態】
【００２０】
本発明の情報通信システムは、多数のユーザが端末装置を介して番組を見ることができるシステムであることを特徴としている。ちなみに、公知のＨＳＤＰＡ方式を採用した情報通信システムにおいては、最大同時接続が４人分に限定されている。また、本発明の情報通信システムは、より高品質な情報を受信できるように最適化する仕組みを有することを特徴としている。以下、本発明の情報通信システム及び情報配信装置並びに通信端末装置について、図面を参照して詳細に説明する。
【００２１】
図１は、本発明の実施形態に係る情報通信システムの全体構成を示す構成図であり、図１の（ａ）は本発明の実施形態に係る情報配信装置、図１の（ｂ）は本発明の実施形態に係る通信端末装置の、それぞれ構成を示すものである。同図において、本実施形態の情報通信システムは、基地局１０１と、通信端末装置１０２とから構成される。基地局１０１は、送信アンテナ２０１、受信アンテナ２０２、送信部３０１、拡散変調部３０２、チャネル符号部３０３、ネットワーク部３０４、制御部３０５、チャネル復号部３０７、逆拡散復調部３０８、及び受信部３０９を備える。通信端末装置１０２は、送信アンテナ２０３、受信アンテナ２０４、送信部３１０、拡散変調部３１１、チャネル符号部３１２、データ符号部３１３、データ入力部３１４、制御部３１５、データ出力部３１６、データ出力処理部３１７、チャネル復号部３１９、逆拡散復調部３２０、受信部３２１、ＣＱＩ判定部３２２、及びＵＥＩＤ決定部３２３を備える。なおまた、基地局１０１は、この発明における「情報配信装置」の一例であってよい。
【００２２】
以下、図１を参照して、本実施形態の情報通信システムの機能を説明する。基地局１０１のチャネル符号部３０３は、ネットワーク部３０４より通信端末装置１０２に対して送信するデータについて誤り訂正等を施し、基地局１０１の拡散変調部３０２においてＱＰＳＫや１６ＱＡＭに変調して拡散処理する。基地局１０１の拡散変調部３０２から出力された信号は送信部３０１にて搬送波周波数に乗せ、送信アンテナ２０１より通信端末装置１０２に向けて送信する。また、通信端末装置１０２より基地局１０１に送信されたデータは、受信アンテナ２０２を介して受信部３０９で受信する。この受信信号は、逆拡散復調部３０８において逆拡散して復調し、チャネル復号部３０７にて誤り訂正等を復号し、ネットワーク部３０４へデータを渡す。基地局１０１の制御部３０５は、基地局１０１におる変復調の制御、チャネル符号／復号の制御、及びネットワーク部３０４の制御を行う。
【００２３】
通信端末装置１０２では、基地局１０１から送信された信号を、受信アンテナ２０４を介して端末受信部３２１にて受信する。この受信信号は、逆拡散復調部３２０で逆拡散処理して復調する。チャネル復号部３１９で誤り訂正符号等がデコードされ、ＣＱＩ判定部３２２にて受信品質を示すＣＱＩ値を推定し、ＵＥＩＤ決定部３２３において、どちらの受信品質を選択するかを決定する。また、データ出力処理部３１７で必要なデータ処理を行い、データ出力部３１６にて出力する。また、通信端末装置１０２は、データ入力部３１４で入力されたデータをデータ符号部３１３にて符号化する。そして、通信端末装置１０２は、チャネル符号部３１２にて誤り訂正等を施し、端末拡散変調部３１１にて変調して拡散処理し、端末送信部３１０で搬送波周波数に乗せ、送信アンテナ２０３を介して基地局１０１に送信する。通信端末装置１０２の制御部３１５は通信端末装置１０２の変復調の制御、チャネル符号／復号の制御、及びデータ制御を行う。
【００２４】
図２は、基地局１０１から通信端末装置１０２に配信される番組ガイドの１例を示す説明図である。また、図３は、基地局１０１から通信端末装置１０２に配信されるチャネル対応の番組ガイドの１例を示す説明図である。以下、図１〜３を参照して、本実施形態の情報通信システムの動作を説明する。基地局１０１はＨＳ−ＰＤＳＣＨの１５チャネルに対して図２，３に示すように、予め取り決められた１チャネルに番組ガイドを、残り１４チャネルを各番組に割り当てて番組情報を配信する。通信端末装置１０２は、本来は自局宛のＨＳ−ＳＣＣＨをデコードして、ＨＳ−ＰＤＳＣＨをデコードするための情報を取り出す必要があるが、本実施形態の情報通信システムでは、ＨＳ−ＳＣＣＨを使用しないものとする。また、ＨＳ−ＤＰＣＣＨも使用しないものとする。
【００２５】
通信端末装置１０２は、ＨＳ−ＰＤＳＣＨをデコードするために必要なデコード情報の内、番組ガイド情報が入っているＨＳ−ＰＤＳＣＨのデコード情報であるＨＳ−ＰＤＳＣＨのチャネライゼーションコードのオフセットと、ＨＳ−ＰＤＳＣＨの本数とを検出する。なお、ＨＳ−ＰＤＳＣＨの変調方式は、通信端末装置１０２では既知の情報とする。通信端末装置１０２の動作としては、最初に受信部３２１が、基地局１０１から配信される番組情報を受信し、次に、制御部３１５は、逆拡散復調部３２０及びチャネル復号部３１９を介して、番組情報に含まれているチャネル対応の番組ガイドを取得する。ここで、番組ガイドとは、基地局１０１と通信端末装置１０２との間で予め取り決められている情報である。制御部３１５は、このチャネル対応の番組ガイドを取得すると、例えば、図３に示すような画面をデータ出力部３１６に表示する。
【００２６】
これにより、通信端末装置１０２のユーザは、自分の見たい番組をデータ入力部３１４を介して選択する。この選択結果により、制御部３１５は、データ符号部３１３を介してオフセットを決定する。このオフセット決定の具体例として、例えば、番組１はチャネライゼーションコードのオフセットが１、番組２はチャネライゼーションコードのオフセットが５とすることができる。ここで、低品質の番組１のチャネライゼーションコードのオフセットは、基地局１０１の割り当てにて番組情報に含まれており、該当する番組のＨＳ−ＰＤＳＣＨの変調方式と各チャネルで使用しているＨＳ−ＰＤＳＣＨの本数の情報も番組情報に含まれている。よって、制御部３１５は、上記ユーザの選択結果と、番組情報とに基づいてチャネライゼーションコードのオフセット、ＨＳ−ＰＤＳＣＨの本数、及びＨＳ−ＰＤＳＣＨの変調方式を決定する。チャネル復号部３１９は、ユーザの上記選択と番組情報とに基づいて制御部３１５が決定した情報を用いて、受信部３２１、及び逆拡散復調部３２０を介して受信したＨＳ−ＰＤＳＣＨの情報のデコードを行う。そして、デコード結果を、データ出力処理部３１７を介してデータ出力部３１６に表示する。ここで、制御部３１５が決定した情報とは、チャネライゼーションコードのオフセット、ＨＳ−ＰＤＳＣＨの本数、及びＨＳ−ＰＤＳＣＨの変調方式である。
【００２７】
以下、ＣＱＩ値を用いた高低品質切り替えに関して説明する。例えば、ユーザが番組１を選択した場合、この番組選択直後は、低品質に接続する。その後、ＣＱＩ判定部３２２において所定の周期毎にＣＱＩ値を求める。この各周期毎に求めたＣＱＩ値を、ＵＥＩＤ決定部３２３において集計して受信品質を決定する。この受信品質決定方法の１例としては、上記の周期毎に求めたＣＱＩ値が連続して５回とも１６以上だった場合は高品質に切り替え、逆に連続して５回とも１５以下だった場合は低品質に切り替え、それ以外の場合は切り替えないといった選択を行う。ここで、高品質の情報も低品質の情報と同様に番組情報に含まれている。よって、制御部３１５は、ユーザが番組１を選択した時点で、番組１の各受信品質対応のチャネライゼーションコードのオフセット、ＨＳ−ＰＤＳＣＨの本数、及び変調方式も取得して出力することができる。これにより、チャネル復号部３１９は、これらの情報を用いて、低品質と高品質の情報を適宜切り替えてデコードすることができる。
【００２８】
但し、品質を決めるＣＱＩ値の設定方法と、設定したＣＱＩ値が連続する回数とにより品質を決定する方法としては、他にも様々なケースが考えられ、上記の説明はあくまで１例である。また、基準となるＣＱＩ値も、必ずしも１５とする必要は無い。なお、基地局１０１は、高品質と低品質で同一内容の番組を、品質のみ変更して同一タイミングで配信しているものとする。勿論、全ての番組が高品質の番組若しくは低品質の番組と分類されるべき必要は無く、例えば、番組４のように品質を問わない番組を配信することも可能である。本実施形態に係る情報通信システムによれば、制御部３１５がＨＳ−ＰＤＳＣＨのオフセットを決定する際、ユーザの選択した番組と連動させる。このようにして、本実施形態に係る情報通信システムによっては、ＨＳＤＰＡ通信方式に対応した通信端末装置１０２を介して同時に多数のユーザが、自己が選択した番組をいつでも見ることができる効果が有る。また、ＨＳ−ＳＣＣＨ，ＨＳ−ＰＤＣＣＨを使用しないため、電力リソースを減らすことができる効果も得られる。さらに、自動的に受信品質を選択することができるので、常により良い受信品質の情報を受信することが可能となる効果が有る。
【００２９】
上記の実施形態の一部、又は全部は、以下の付記のようにも記載され得るが、以下には限られない。
【００３０】
（付記Ａ）基地局となる情報配信装置と、受信局となる通信端末装置とを含み、前記情報配信装置は、ＨＳ−ＰＤＳＣＨの複数チャネルの内、所定の１チャネルに番組ガイド割り当て、残りの各チャネルを各番組に割り当てる手段と、各番組のチャネライゼーションコードのオフセット、該当する番組のＨＳ−ＰＤＳＣＨの変調方式、及び各チャネルで使用しているＨＳ−ＰＤＳＣＨの本数の情報を含めた番組情報を配信する手段と、を備え、前記通信端末装置は、前記情報配信装置から配信された番組情報を受信する手段と、前記番組情報に含まれる所定のチャネル対応の番組ガイドを取得する手段と、前記チャネル対応の番組ガイドを表示してユーザに参照させる手段と、前記ユーザが前記チャネル対応の番組ガイドの表示を参照して指定した番組と、前記番組情報とに基づいてチャネライゼーションコードのオフセット、ＨＳ−ＰＤＳＣＨの本数、及びＨＳ−ＰＤＳＣＨの変調方式を決定する手段と、前記決定されたＨＳ−ＰＤＳＣＨの本数、及びＨＳ−ＰＤＳＣＨの変調方式を用いて、前記受信した番組情報のＨＳ−ＰＤＳＣＨの情報のデコードを行う手段と、前記デコードの結果を表示する手段と、を備えた情報通信システム。
【００３１】
（付記Ｂ）前記デコードを行う際の受信品質として、番組選択直後には所定の暫定的なＣＱＩ値を使用し、番組選択後は、所定の周期毎に求めたＣＱＩ値を集計して決定した受信品質を使用する付記Ａに記載の情報通信システム。
【００３２】
（付記Ｃ）前記デコードを行う手段は、前記ユーザが番組を選択した時点で選択された番組の各受信品質対応のチャネライゼーションコードのオフセット、ＨＳ−ＰＤＳＣＨの本数、及び変調方式を参照することにより、低品質の情報と高品質の情報とを適宜切り替えてデコードする付記Ａに記載の情報通信システム。
【００３３】
（付記Ｄ）ＨＳ−ＳＣＣＨ及びＨＳ−ＤＰＣＣＨは使用しない付記Ａに記載の情報通信システム。
【００３４】
（付記Ｅ）ＨＳ−ＰＤＳＣＨの複数チャネルの内、所定の１チャネルに番組ガイド割り当て、残りの各チャネルを各番組に割り当てる手段と、各番組のチャネライゼーションコードのオフセット、該当する番組のＨＳ−ＰＤＳＣＨの変調方式、及び各チャネルで使用しているＨＳ−ＰＤＳＣＨの本数の情報を含めた番組情報を配信する手段と、を備えた情報配信装置。
【００３５】
（付記Ｆ）ＨＳ−ＳＣＣＨ及びＨＳ−ＤＰＣＣＨは使用しない付記Ｅに記載の情報配信装置。
【００３６】
（付記Ｇ）情報配信装置から配信されたＨＳ−ＰＤＳＣＨの複数チャネルの番組情報を受信する手段と、前記番組情報に含まれる所定のチャネル対応の番組ガイドを取得する手段と、前記チャネル対応の番組ガイドを表示してユーザに参照させる手段と、前記ユーザが前記チャネル対応の番組ガイドの表示を参照して指定した番組と、前記番組情報とに基づいてチャネライゼーションコードのオフセット、ＨＳ−ＰＤＳＣＨの本数、及びＨＳ−ＰＤＳＣＨの変調方式を決定する手段と、前記決定されたＨＳ−ＰＤＳＣＨの本数、及びＨＳ−ＰＤＳＣＨの変調方式を用いて、前記受信した番組情報のＨＳ−ＰＤＳＣＨの情報のデコードを行う手段と、前記デコードの結果を表示する手段と、を備えた通信端末装置。
【００３７】
（付記Ｈ）前記デコードを行う際の受信品質として、番組選択直後には所定の暫定的なＣＱＩ値を使用し、番組選択後は、所定の周期毎に求めたＣＱＩ値を集計して決定した受信品質を使用する付記Ｇに記載の通信端末装置。
【００３８】
（付記Ｉ）前記デコードを行う手段は、前記ユーザが番組を選択した時点で選択された番組の各受信品質対応のチャネライゼーションコードのオフセット、ＨＳ−ＰＤＳＣＨの本数、及び変調方式を参照することにより、低品質の情報と高品質の情報とを適宜切り替えてデコードする付記Ｇに記載の通信端末装置。
【００３９】
（付記Ｊ）ＨＳ−ＳＣＣＨ及びＨＳ−ＤＰＣＣＨは使用しない付記Ｇに記載の通信端末装置。
【００４０】
本願は、２０１２年１月１９日に、日本に出願された特願２０１２−００８７３９号に基づき優先権を主張し、その内容をここに援用する。
【産業上の利用可能性】
【００４１】
本発明に係わる情報通信システムによれば、ＨＳＤＰＡ方式の情報通信システムにおいて、同一セル内の多数のユーザに対して同時に高品位の情報を配信することができる。
【符号の説明】
【００４２】
１０１    基地局
１０２    端末装置
２０１    送信アンテナ
２０２    受信アンテナ
２０３    送信アンテナ
２０４    受信アンテナ
３０１    送信部
３０２    拡散変調部
３０３    チャネル符号部
３０４    ネットワーク部
３０５    制御部
３０７    チャネル復号部
３０８    逆拡散復調部
３０９    受信部
３１０    送信部
３１１    拡散変調部
３１２    チャネル符号部
３１３    データ符号部
３１４    データ入力部
３１５    制御部
３１６    データ出力部
３１７    データ出力処理部
３１９    チャネル復号部
３２０    逆拡散復調部
３２１    受信部
３２２    ＣＱＩ判定部
３２３    ＵＥＩＤ決定部
【図１】
2013108662.tif 000003
【図２】
2013108662.tif 000004
【図３】
2013108662.tif 000005
【図４】
2013108662.tif 000006
【国際調査報告】
2013108662.tif 000007
2013108662.tif 000008